(57)【要約】【課題】パチンコ玉やメダル等の検出物を誤計数することなく、簡易・小型で安価な遊戯機の検出物計数器を提供する。【解決手段】１枚の基板１６の同一面両端方向にチップ投光素子１７と、２個のチップ受光素子１８、１９を実装し、受光素子１８、１９は検出物の通過方向にずらして配列する。投光素子１７にて基板１６に垂直に発光された光は、多少の指向角度を持ちながら、基板１６と直角方向に投光プリズム２３内を進み、そして直角に屈折して投光窓口２５から検出物通路を横切り、受光窓口２６、２７より、受光プリズム２４に入光し、検出物通過方向に並べられた２個の受光素子１８、１９に垂直に入光する。検出物が通過すると、受光素子１８、１９に入光する光を遮光し、受光素子１８、１９からは通過方向に応じて、位相差をもった検出信号が出力される。【選択図】      図１
2005000505.tif 000002
【特許請求の範囲】
【請求項１】
投光素子と受光素子とを備え、検出物が通過することによって生じる受光素子への受光量の変化により、検出物を検出する遊戯機の検出物計数器であって
前記受光素子を検出物の通過方向にずらして、少なくとも２個配置し、検出物の通過を位相差をもって検出するようにしたことを特徴とする遊戯機の検出物計数器。
【請求項２】
前記投光素子は、１個の発光素子を用い、その光を２個の受光素子で検出するようにしたことを特徴とする請求項１記載の遊戯機の検出物計数器。
【請求項３】
投光部、受光部、あるいは投受光部において、光の通過方向を屈折させるようにしたことを特徴とする請求項１又は請求項２記載の遊戯機の検出物計数器。
【請求項４】
前記光の屈折はプリズムを用いたことを特徴とする請求項３記載の遊戯機の検出物計数器。
【請求項５】
前記受光素子は、プリント基板の両面に、それぞれ実装されたことを特徴とする請求項１又は請求項２記載の遊戯機の検出物計数器。
【請求項６】
前記受光素子は、サイドビュー形チップ素子を用いたことを特徴とする請求項５記載の遊戯機の検出物計数器。
【発明の詳細な説明】
【０００１】
【発明の属する技術分野】
この発明は、パチンコ玉やスロットマシン用のメダル等の検出物を計数する遊戯機の検出物計数器に関する。
【０００２】
【従来の技術】
従来、パチンコの玉やスロットマシン用のメダル等を計数するのに、１個の投光素子と１個の受光素子を用いた透過型のフォトインタラプタでパチンコ玉などの検出物が通過する時の遮光による光量の変化をスイッチングし、検出物の計数を行っていた（例えば、特許文献１参照）。また、同様に１個の投光素子と１個の受光素子を有する反射型のフォトインタラプタを用いて、検出物を計数するものもある（例えば、特許文献２参照）。
【０００３】
【特許文献１】
特開平６−５９０７号公報
【０００４】
【特許文献２】
特開平１０−７０３０５号公報
【０００５】
【発明が解決しようとする課題】
一般に、パチンコの玉やメダルの検出・計数においては、検出物は大きな間隔をおいて通過したり、速いスピードで通過したり、連続して重なって通過したり、極めて遅いスピードで通過したり、振動しながら通過したり、検出部で停止したり、様々な態様の状態で計数が行われる。
【０００６】
基本的に、フォトインタラプタ等は、光の有無のみを検出する。特に検出物が光センサの検出点の境界にある時に振動すると、その振動に合わせてＯＮ／ＯＦＦのスイッチング信号を検出物の通過数と関係なく出力する。パチンコ台やスロットマシンにおいては、図１７に示すように透明フィルム１にマジックインキを用い、遮光の線２を入れ、メダル投入口から差し込んだ後、引き戻すと、往路の合計計数を行うため、メダルの投入がないにも関わらず、遮光数の倍の数が入力され、ゲームが可能となる違法な行為も多く発生している。
【０００７】
また、フォトインタラプタは投光と受光が対向して検出されるため、図１８のようなディスクリート部品３ａ、３ｂしか１枚の基板４に実装できず、投・受光のチップパーツ５ａ、５ｂを使用するには、図１９のような２枚のプリント基板６ａ、６ｂを用いて、マウントしなければならず、組み合わせ加工や組み立て費用が増大し、コストが高くなるため、ローコストでの実用化が困難であった。
【０００８】
更にまた、パチンコ玉やメダルはプラスチックで構成される機構部において使用されるため、それらとの通路において強力な静電気を発生させ、その静電気を帯電して移動する。このパチンコ玉や、メダルに帯電した静電気は、周囲の塵や埃を集めて移動し、投・受光器の光の窓口に、その塵や埃を付着させるため、光の通路がふさがれ使用不可能となる。特に湿気の少ない乾燥した冬では、４〜５ヶ月の使用期間で検出機能が妨害されるおそれがある。
【０００９】
この発明は上記問題点に着目してなされたものであって、パチンコ玉やメダル等の検出物を誤計数することなく、簡易・小型で安価な、しかも静電気による塵や埃による誤動作しない遊戯機の検出物計数器を提供することを目的としている。
【００１０】
【課題を解決するための手段】
この発明の請求項１に係る遊戯機の検出物の計数器は、検出物の通過方向にずらして、少なくとも２個配置し、検出物の通過を位相差をもって検出する。この遊戯機の検出物計数器では、パチンコ玉やメダルが通過し、それぞれの受光素子の入光を遮ると、その通過方向に従って、２つの受光素子の出力が位相差を持って出力される。この２つの位相差を持った信号を論理処理することにより、検出物の通過方向（正方向・逆方向）を知ることができるとともに、その通過方向に基づいて、加算・減算処理を行うことにより、振動による往復運動があっても誤差なく正確に計数できる。
【００１１】
また、請求項２に係る遊戯機の検出物計数器は、請求項１に係るものにおいて、投光素子は、１個の発光素子を用い、その光を２個の受光素子で検出するようにしている。前述したように、塵やゴミ、埃で誤動作を少なくするためや、パチンコ台、スロットマシン、その物はもとより、周囲の環境として、強力でとても多い電飾が施されているため、それらで誤動作しないように、投光素子は高価で強力な赤外ＬＥＤが使用されるが、この発明では高価なＬＥＤは１個しか使用しないため、安価に製品化できる。
【００１２】
また、請求項３に係る遊戯機の検出物計数器は、請求項１に係るものにおいて、投光部、受光部、あるいは投受光部において、光の通過方向を屈折（又は反射）させるようにしている。また、請求項４に係る遊戯機の検出物計数器は、請求項３に係るものにおいて、光の屈折にプリズムを用いている。このプリズムにより、およそ９０度光が屈折させられる。１枚のプリント基板の同一面にチップマウントされた投・受光素子に垂直に入光・出光されるため、チップ化が可能となり、超小型化・ローコスト化が計れるとともに、プリズムの一面は投光部・受光部の光の窓口を物理的にふさぐため、静電気により運ばれる塵、埃が入り込むこともなく、また付着しても、次に通過する検出物で除かれ、検出機能を妨害する程、蓄積することはない。
【００１３】
また、請求項５に係る遊戯機の検出物計数器は、請求項１又は請求項２に係るものにおいて、受光素子を、プリント基板の両面に、それぞれ実装している。この遊戯機の検出物計数器においては、検出物の進行方向に直交する方向にプリント基板の両面に受光素子がそれぞれ設けられているので、検出物通過に伴う反射光を位相差をもって受光する。
【００１４】
また、請求項６に係る遊戯機の検出物計数器は、請求項５に係るものにおいて、投受光素子として、サイドビュー形チップ素子を用いている。
【００１５】
【発明の実施の形態】
以下、実施の形態により、この発明をさらに詳細に説明する。この発明の遊戯機の検出物計数器の実施形態として、パチンコ玉、メダル計数器を例にして説明する。図１は、実施形態パチンコ玉、メダル計数器を示し、図１の（ａ）はその正面図、図１の（ｂ）は同縦断面図である。この実施形態パチンコ玉、メダル計数器は、外観、側面視コ字状をしており、上部突出辺１１に投光部１２、下部突出辺１３に受光部１４が配置されている。このパチンコ玉、メダル計数器は、投光部１２と受光部１４の間を、矢印Ａ→Ｂの方向に、パチンコ玉やメダルが通過するように使用される。
【００１６】
ケース本体１０の柱辺１５内に１枚のプリント基板１６が収納されている。柱辺１５のプリント基板１６は、蓋１０ａで内部に密閉されている。このプリント基板１６は、図２の（ａ）に示すように、表面（投光・受光面）に１個の投光素子（ＬＥＤ）１７と、２個の受光素子（フォトトランジスタ又はフォトダイオードあるいはフォトＩＣ）１８、１９がマウントされている。受光素子１８、１９は検出物の通過方向Ａ→Ｂに互いにずらして配置されている。また、投光素子１７と受光素子１８、１９は基板１６上を直接光が通過しないよう、ケース体１０の凹部２０で遮光している。プリント基板１６の表面には、図２の（ｃ）に示すように、コネクタ２１が設けられ、更に領域２２に電子部品が実装されている。図２の（ｂ）はプリント基板１６の側面図である。
【００１７】
投光素子１７と受光素子１８、１９の前方（上部突出片１１、下部突出片１３内）には、プリズム２３、２４が設けられている。このプリズム２３、２４は、図３に示す形状のものを使用している。また、上部突出片１１の下部に投光窓口２５が、下部突出片１３の上部に受光窓口２６、２７が開口している。投光素子１７で発光した光は、プリズム２３で直角に屈折し、投光窓口２５から指向角度をもって拡散しながら出て、検出物通路を通り、２つの受光窓口２６、２７により、受光側のプリズム２４に入光し、９０度屈折した後、プリント基板１６上の２個の受光素子１８、１９に直接入光する。
【００１８】
この実施形態パチンコ台、メダル計数器において、図１の（ａ）のＡ→Ｂにパチンコ台やメダルが通過すると、最初は受光素子１８、１９とも入光しているが、先ず、受光素子１８が遮光、受光素子１９が入光となり、次に受光素子１８、１９とも遮光となり、続いて、受光素子１８が入光、受光素子１９が遮光となり、最後に再び受光素子１８、１９とも入光となる。このように検出物の進入で、受光素子１８、１９の出力に位相差が生じる。
【００１９】
図４に、この実施形態パチンコ台、メダル計数器の回路図を示している。図４において、投光素子ＬＥＤ１と電流設定抵抗Ｒ１が直列に接続されて、電源ＶＣＣと接地ＧＮＤ間に接続されている。また、受光素子ＰＴ１（フォトトランジスタ）と負荷抵抗Ｒ２が、受光素子ＰＴ２と負荷抵抗Ｒ３が、それぞれ直列に接続され、同じく電源ＶＣＣと接地ＧＮＤ間に接続されている。
【００２０】
また、受光素子ＰＴ１と負荷抵抗Ｒ２の接続点が、比較回路Ａ１の反転入力端子（−）に接続され、受光素子ＰＴ２と負荷抵抗Ｒ３の接続点が、比較回路Ａ２の反転入力端子（−）に接続されている。抵抗Ｒ４とＲ５が直列接続されて、電源ＶＣＣと接地ＧＮＤ間に接続され、その接続中点が比較回路Ａ１、Ａ２の非反転入力端子（＋）に接続され、基準電圧を加えるようになっている。
【００２１】
投光素子ＬＥＤ１が点灯し、検出物がないと光は受光素子ＰＴ１、及び受光素子ＰＴ２に入光する。受光素子ＰＴ１及び受光素子ＰＴ２は入光するとインピーダンスは極めて小さくなっている。この受光素子ＰＴ１、ＰＴ２と各々の負荷抵抗Ｒ２、Ｒ３で発生する電圧Ｖ１、Ｖ２は比較回路Ａ１、Ａ２の反転入力端子に入力される。
【００２２】
例えば、受光素子ＰＴ１の入光はインピーダンスをＺ１、受光素子ＰＴ２の入光時インピーダンスをＺ２とすると、
Ｖ１＝（Ｒ２×ＶＣＣ）／（Ｚ１＋Ｒ２）
Ｖ２＝（Ｒ３×ＶＣＣ）／（Ｚ２＋Ｒ３）
入光時は、Ｚ１＜＜Ｒ２、Ｚ２＜＜Ｒ３であるから、
Ｖ１≒ＶＣＣ、Ｖ２≒ＶＣＣとなり、各々比較回路Ａ１、Ａ２に入力される。この時、比較回路Ａ１、Ａ２の比較基準電圧Ｖ０は、
Ｖ０＝｛Ｒ５／（Ｒ４＋Ｒ５）｝×ＶＣＣ      Ｒ４＝Ｒ５とする
Ｖ０＝（１／２）・ＶＣＣが比較回路Ａ１、Ａ２の非反転入力端に入力され、
Ｖ１とＶ２を比較検出する。従って、受光素子ＰＴ１、ＰＴ２が入光時、
Ｖ１＞Ｖ０であり、出力ＯＵＴ１＝“Ｌ”
Ｖ２＞Ｖ０であり、出力ＯＵＴ２＝“Ｌ”となっている。
【００２３】
次に、検出物通路に検出物が通過し、受光素子ＰＴ１、ＰＴ２が遮光されると、受光素子ＰＴ１、ＰＴ２のインピーダンスは極めて大きくなる。すなわち、
Ｚ１＞＞Ｒ２、Ｚ２＞＞Ｒ３であるから、上記式より、
Ｖ１≒０、Ｖ２≒０となるため、
Ｖ１＜Ｖ０、Ｖ２＜Ｖ０であるから、
ＯＵＴ１＝“Ｈ”、ＯＵＴ２＝“Ｈ”となる。
【００２４】
検出物が図１の（ａ）のＡ方向からＢ方向へ通過する場合の出力のタイムチャートを図５に示す。逆に、検出物がＢ方向からＡ方向へ通過した場合の出力のタイムチャートは、図６に示すものとなる。このように、出力部には通過方向に伴って出力に位相差が発生する。
【００２５】
次に、図４の回路で発生した出力ＯＵＴ１、ＯＵＴ２を論理処理する場合について説明する。この論理処理は、図７に示す如き、加、減算判別回路を用いて行う。  出力ＯＵＴ１は、図７の回路において、ノット回路ＮＯＴ１、ノット回路ＮＯＴ２を介して、Ｄ型フリップフロップＤ−ＦＦ１のＣＬ１端子と、ノア回路ＮＯＲ２の入力の一端に接続され、更にノット回路ＮＯＴ１の出力がＤ型フリップフロップＤ−ＦＦ２のＣＬ２端子とノア回路ＮＯＲ１の入力の一端に接続されている。また、出力ＯＵＴ２は、Ｄ型フリップフロップＤ−ＦＦ２のＤ１入力端とＤ−ＦＦ２のＤ２入力端子に接続され、Ｄ型フリップフロップＤ−ＦＦ１のＱ１バー出力端子は、ノア回路ＮＯＲ１の他の入力端子に接続され、Ｄ型フリップフロップ−ＦＦ２のＱ２バー出力端子は、ノア回路ＮＯＲ２の他の入力の一端に接続されている。
【００２６】
この回路で、ＯＵＴ１をクロック信号として用い、出力ＯＵＴ２をデータ信号として用いると、論理は図８のタイムチャート及び図９の真理値表示のようになる。この時、出力ＯＵＴ１が出力ＯＵＴ２より電気的に位相が進んでいる場合、すなわち、図１の（ａ）において、検出物がＡ→Ｂの方向へ移動する場合を通過計数とすると、減算信号であるノア回路ＮＯＲ１の出力ＮＯ１が“Ｌ”、加算信号のノア回路ＮＯＲ２の出力が“Ｈ”となり、計数として加算信号が出力される。
【００２７】
逆に検出物が図１の（ａ）のＢ→Ａ方向に移動する場合、出力ＯＵＴ２が出力ＯＵＴ１より電気的に位相が進むことになる。この時、タイムチャートは図１０に、真理値表を図１１に示す。この場合は、減算信号ノア回路ＮＯＲ１の出力ＮＯ１は“Ｈ”、加算信号のノア回路ＮＯＲ２の出力ＮＯ２は“Ｌ”となり、計数として減算信号が出力される。これらの加減算信号と、ＯＵＴ１、ＯＵＴ２のセンサ出力パルス数と組み合わせて検出物が通過計数方向に通過したものは加算計数され、逆方向に戻ったものは減算計数され、また、往復運動したものは加減されて真の計数を可能にすることが出来る。
【００２８】
一般に、光センサにおけるＯＮ／ＯＦＦのレベル弁別は光の有無のみで行われるため、この弁別位置での検出物の通過移動時の極めて僅かな振動や、振動がなくても、極めてゆっくりと通過する検出物においても出力信号は割れる場合が多い。割れた信号（チャタリング信号）では、計数器では割れた数だけ計数する。
【００２９】
したがって、現実の一般的な光電センサを用いた計数器は実用に耐えられないくらいの誤計数を起こす。これらの問題を、この実施形態計数器、つまりこの発明は完全に解決することができる。
【００３０】
例えば、図１７において、透明フィルム１にマジックインキ２で太い線を書き込み、メダル投入口（図示せず）からフィルム１を差し込んでも、差し込んだ時は遮光し、線の数を加算するが、それを引き抜く時、方向が反対であるため、加算した数を同数だけ減算するので、違法行為を行うことが出来ない。
【００３１】
現状において、光電センサは、図１８に示すように、ディスクリートパーツの投光素子３ａ、受光素子３ｂで構成している。プリント基板４と光線は平行になるため、素子３ａ、３ｂのリードを直角に曲げて加工を行い、組み立てがなされている。また、図１９のように、チップパーツの投光素子５ａと受光素子５ｂを用いたプリント基板６ａ、６ｂの２枚を対向させて配線７により接続して、構成している。しかし、図１８においては、検出物の通路幅が多少広いと光軸が合わせにくく、特性が不安定で信頼性に欠け、また、使用上における振動で素子のリードが折れる事故が多発し、防止の手だてがない欠点がある。これは光学素子を使用するため、内部に耐振用の充填材等が使えないという特殊な条件があるためである。
【００３２】
また、図１９においては、光軸合わせ等の問題は解決するが、基板を２枚組み立てるため、加工組み立て工数が大きく、大幅なコストアップになり、両基板を組み立てる配線接続部が使用上における振動で断線し易い欠点があった。
【００３３】
この発明の実施形態計数器では、図１に示すように、１枚のプリント基板１６の同一面両端方向にチップパーツの投光素子１７を１個と、受光素子１８、１９の２個を実装している。プリント基板１６上の投光素子１７にて垂直に発光された光は、多少の指向角度を持ちながら、プリント基板１６と直角方向に投光プリズム２３内を進み、そして直角に屈折して、投光窓口２５から検出物通路を横切り、受光窓口２６、２７より、受光プリズム２４に入光し、検出物通過方向に並べられた２個の受光素子１８、１９に垂直に入光する。そして、検出物が通過すると、この光を遮光し、上記説明したように、電気的に位相差をもって、検出信号を出力する。
【００３４】
したがって、この実施形態パチンコ玉、メダル計数器によれば、▲１▼プリント基板は１枚のみでよく、組み合わせ作業が不要となる。▲２▼光軸は機構で安定して決まるため、光軸調整等の必要はなく、信頼性が高く安定する。▲３▼振動等で断線するような要素を持たないため、振動の大きな所で信頼性の高い使用が可能となる。▲４▼投光窓口、受光窓口がプリズムで窓板を兼ねて密閉されているため、塵埃が入らない。
【００３５】
また、この実施形態パチンコ玉、メダル計数器が使用される環境は、色々な波長のＬＥＤ、白熱電球、蛍光灯等、多種多様の電飾が華やかに施されているが、この計数器の投光素子はＳＮ比を上げるため、主にパワーの大きな赤外線ＬＥＤを用いるのであるが、プリズムは可視光をカットし、赤外線のみを透過させるプラスチック材を用いて成形することにより、外乱光に強く、しかも極めて安価にすることができる。しかし、プリズム等の金型投資等が不可能な時、プリズムに変えて、例えば鏡あるいは鏡面仕上げの金属２個を用いて、前記プリズムと同様の原理で光を屈折（又は反射）させても、全く同じような特性が得られる。また、プリズムは受光素子２個に対して１個で良いが、受光素子各々に１個用いても良い。
【００３６】
なお、上記実施形態では、投光素子からの光が２個の受光素子に入光するものにおいて、検出物が受光素子への入光を遮光するタイプの検出部を採用したものを例に上げて説明したが、本発明は、これに限ることなく、投光素子からの光が通過する検出物で反射して、受光素子に入光するタイプの検出部を有するものにも適用できる。この場合、投光素子に対し、受光素子も同一面に配置され、かつ２個の受光素子は検出物の通過方向に互いにずらして配置される。
【００３７】
この反射型の検出部に対応する実施形態について説明する。図１２は、この実施形態パチンコ玉、メダル計数器の外観図である。図１２の（ａ）は、その正面図であり、図１２の（ｂ）は側面図、図１２の（ｃ）は同平面図である。ケース本体１０に、前方から透明カバー３０が装着されている。ケース本体１０の後方にコネクタ２１が設けられている。ケース本体１０の前面に、投光窓口２５と受光窓口２６、２７が設けられている。投光窓口２５と受光窓口２６、２７の間をＡ→Ｂの方向に検出物が通過する。
【００３８】
図１２の（ｃ）のＸ−Ｘで切断した断面図を図１３に示している。ケース本体１０内にプリント基板１６が設けられ、このプリント基板１６のカバー１０ａ側に電子部品２９が実装されるとともに、コネクタ２１が接続されている。プリント基板１６の投光窓口２５、受光窓口２６、２７側に、投光素子１７と受光素子１８、１９が実装され、投光素子１７と受光素子１８、１９はセパレータ３１により仕切られている。
【００３９】
この実施形態パチンコ玉、メダル計数器では、検出物４０が前方を通過しないときは、投光素子１７より発せられた光は反射されず、そのまま直進するので、受光素子１８（１９）には入光しない。この場合、受光素子１８（１９）のインピーダンスは非常に高い。一方、検出物４０が通過すると、投光素子１７を出た光は検出物４０で反射して、受光素子１８（１９）に入光する。この場合の受光素子１８（１９）のインピーダンスは非常に小さい。
【００４０】
検出物４０が通過したときの受光素子１８（１９）のインピーダンスは、図１に示した実施形態のものとは逆となるので、図１７に示すように、図４に示す比較回路Ａ１、Ａ２への反転入力端子（−）、非反転入力端子（＋）への入力接続を逆に接続した回路を使用する。これにより、受光素子ＰＴ１（１８）、ＰＴ２（１９）に対応して検出物４０の通過に応じ、位相差のある検出信号ＯＵＴ１、ＯＵＴ２を出力する。なお、図１４において、検出物の通過方向をＡ→Ｂとして図示しているが、図１２、図１３で示すように、検出物が通過する際に投光素子ＬＥＤ１からの光が、それぞれ検出物で反射して、受信素子ＰＴ１、ＰＴ２に入光する。
【００４１】
図１５は、この発明の他の実施形態パチンコ玉、メダル計数器を示す図である。この実施形態パチンコ玉・メダル計数器は、薄型偏平な直方体状の外観を有し、図１５の（ａ）に横断面図を示している。ケース体１０内にプリント基板１６を収容している。図１５の（ｂ）にプリント基板１６の側面図を、図１５の（ｃ）にプリント基板１６を裏から見た図、図１５の（ｄ）にプリント基板１６を前から見た図を示している。プリント基板１６の一方の面（表面）に投光素子１７と、受光素子１８と、コネクタ２１と、電子部品２２ａとを実装している。また、プリント基板１６の他方の面（裏面）に受光素子１９が実装されている。
【００４２】
このパチンコ玉、メダル計数器は、設置に際し、プリント基板１６の両面が検出体３２の進行方向に直交するように配置される。
【００４３】
投光素子１７から発せられた光は、進行して来た検出体３２で反射すると、最初に受光素子１８にて受光され、時間をおいて、受光素子１９に受光される。
【００４４】
このパチンコ玉、メダル計数器は、プリント基板１６の両面に受光素子１８、１９をそれぞれ配置し、薄型偏平に構成し、かつ検出体の進行方向に直交する方向に薄型面が位置するようにしているので、検出体の通路を長く取れない狭いスペースにも設置できる。
【００４５】
図１６に、この発明の更に他の実施形態パチンコ玉、メダル計数器のプリント基板を示す。図１６の（ａ）は、プリント基板１６に部品を搭載した状態の平面図、図１６の（ｂ）に同プリント基板１６の側面図、図１６の（ｃ）に同プリント基板１６を前面から見た図を示している。
【００４６】
プリント基板１６には、図１５のものと同様、一方の面に、投光素子１７、受光素子１８、コネクタ２１、電子部品２２ａが実装され、他方の面に受光素子１９が実装されている。この実施形態の特徴は、投光素子１７、受光素子１８、１９として、サイドビュー形のチップ素子を用いたことである。サイドビュー形の投光素子、受光素子は、チップをプリント基板のパッドにマウントし、プリント基板の回路面に平行方向に投光特性あるいは受光素子を持つものである。
【００４７】
この実施形態では、チップ素子を直接マウントするので、より薄型、小形の検出物計数器を得ることができる。また、素子自体が安価であり、かつ加工費も極めて安価にできるため、安価な検出物計数器を実現できる。
【００４８】
【発明の効果】
この出願の請求項１に係る発明によれば、受光素子を検出物の通過方向にずらして、少なくとも２個配置し、検出物の通過を位相差をもって検出するので、ＯＮ／ＯＦＦの弁別位置で振動したり、前後の往復振動しても位相検出により、加減処理を可能にするため誤計数しない。
【００４９】
また、請求項２に係る発明によれば、投光素子は、１個の発光素子を用い、その光を２個の受光素子で検出するものであるから、一般の光電センサを検出物の通過方向に２個並べるのに比し、安価で小型化を計るとともに、小さな検出物の加減計数を可能にすることができる。その上、高価な発光素子（ＬＥＤ）も１個で済み、安価となる。また、請求項３に係る発明によれば、光の通過方向を屈折させるようにしており、更に、請求項４に係る発明によれば、プリズムを用いて屈折させるので、投光素子及び受光素子の配線を簡単、安全とでき、耐振動性が極めて増大し、耐塵埃性も向上する。
【００５０】
また、請求項５に係る発明によれば、プリント基板の両面に、それぞれ受光素子を実装するので、計数器自体を薄型に実現でき、設置スペースの狭い所へでも設置容易となる。また、請求項６係る発明によれば、投光素子としてサイドビュー形チップ素子を使用するので、より薄型を安価に実現できる。
【図面の簡単な説明】
【図１】この発明の一実施形態パチンコ玉、メダル計数器を示す図であり、（ａ）は検出物の通過と受光素子の位置関係を説明する正面図、（ｂ）は縦断面図である。
【図２】同実施形態パチンコ玉、メダル計数器のプリント基板を示す図である。
【図３】同実施形態パチンコ玉、メダル計数器に使用するプリズムの外観斜視図である。
【図４】同実施形態パチンコ玉、メダル計数器の検出物通過検出回路を示す回路図である。
【図５】同通過検出回路において、検出物が同図のＡからＢの方向に通過した場合の出力波形を示す図である。
【図６】同通過検出回路において、検出物が同図のＢからＡの方向に通過した場合の出力波形を示す図である。
【図７】同通過検出回路の出力を受けて、検出の通過方向を判別する判別回路を示すブロック図である。
【図８】同判別回路において、検出物が図４のＡからＢ方向に通過した場合の各部の波形を示すタイムチャートである。
【図９】同判別回路において、検出物が図４のＡからＢ方向に通過した場合の各部の真理値を示す図である。
【図１０】同判別回路において、検出物が図４のＢからＡ方向に通過した場合の各部の波形を示すタイムチャートである。
【図１１】同判別回路において、検出物が図４のＢからＡ方向に通過した場合の各部の真理値を示す図である。
【図１２】この発明の他の実施形態パチンコ玉、メダル計数器の外観を示す図である。
【図１３】図１２のＸ−Ｘで切断した縦断面図である。
【図１４】同実施形態パチンコ玉、メダル計数器の検出物通過検出回路を示す回路図である。
【図１５】この発明の他の実施形態パチンコ玉、メダル計数器を説明する図である。
【図１６】この発明の更に他の実施形態パチンコ玉、メダル計数器を説明する図である。
【図１７】光電式パチンコ玉、メダル計数器の不正使用例を説明する図である。
【図１８】従来の光電式パチンコ玉、メダル計数器の一例を説明する図である。
【図１９】従来の光電式パチンコ玉、メダル計数器の他の例を説明する図である。
【符号の説明】
１０          ケース体
１１          上部突辺部
１２          投光部
１３          下部突辺部
１４          受光部
１６          プリント基板
１７          発光素子
１８、１９    受光素子
２１          コネクタ
２３、２４    プリズム
２５          投光窓口
２６          受光窓口
【図１】
2005000505.tif 000003
【図２】
2005000505.tif 000004
【図３】
2005000505.tif 000005
【図４】
2005000505.tif 000006
【図５】
2005000505.tif 000007
【図６】
2005000505.tif 000008
【図７】
2005000505.tif 000009
【図８】
2005000505.tif 000010
【図９】
2005000505.tif 000011
【図１０】
2005000505.tif 000012
【図１１】
2005000505.tif 000013
【図１２】
2005000505.tif 000014
【図１３】
2005000505.tif 000015
【図１４】
2005000505.tif 000016
【図１５】
2005000505.tif 000017
【図１６】
2005000505.tif 000018
【図１７】
2005000505.tif 000019
【図１８】
2005000505.tif 000020
【図１９】
2005000505.tif 000021